(57)【特許請求の範囲】
【請求項１】
対向する短辺及び長辺に互いに嵌合可能な雄実と雌実を設け、表面を化粧面とし、裏面の長辺方向に沿った雄実側又は雌実側のどちらか一方に両面粘着テープを貼着した、床仕上げ材において、
前記両面粘着テープは、テープ基材の両面に粘着層を設け、一方の前記粘着層の上に網目状の非粘着性層を設けたものであり、前記非粘着性層が設けられていない側の前記粘着層が前記裏面に貼着されており、前記非粘着性層が設けられた側の前記粘着層が施工時に床面と接することを特徴とする、床仕上げ材。
【請求項２】
対向する短辺及び長辺に互いに嵌合可能な雄実と雌実を設け、表面を化粧面とし、裏面の短辺及び長辺の両方向に沿った雄実側又は雌実側のどちらか一方に両面粘着テープを貼着した、床仕上げ材において、
前記両面粘着テープは、テープ基材の両面に粘着層を設け、一方の前記粘着層の上に網目状の非粘着性層を設けたものであり、前記非粘着性層が設けられていない側の前記粘着層が前記裏面に貼着されており、前記非粘着性層が設けられた側の前記粘着層が施工時に床面と接することを特徴とする、床仕上げ材。
【請求項３】
請求項１または２に記載の床仕上げ材の施工方法であって、
１枚目の床仕上げ材を敷設する際には、床仕上げ材の両面粘着テープが貼着されていない側を貼り始めの位置として床面に配置し、その後、床仕上げ材の両面粘着テープが貼着された側を床面に圧着して固定し、
２枚目の床仕上げ材を敷設する際には、１枚目の床仕上げ材と実部の嵌合をさせ、その後、床仕上げ材の両面粘着テープが貼着された側を床面に圧着して固定する、床仕上げ材の施工方法。
【発明の詳細な説明】
【０００１】
【産業上の利用分野】
本発明は、床下地上やコンクリートスラブ上に接着剤を使用せずに施工できる床材、及びこの床材を用いた施工方法に関する。
【０００２】
【従来の技術】
従来より床仕上げ材を床面に施工する場合、根太に釘打ち固定する方法の他、合板等の捨て張り用床下地材やコンクリートスラブ上に接着剤を用いて直接床仕上げ材を接着施工する方法も広く用いられている。
【０００３】
しかしながら、接着剤は硬化するまでの養生が必要であり、硬化前に床仕上げ材がずれ、目隙の発生する場合がある。また、接着力の強い溶剤型の接着剤の場合はホルムアルデヒドやＶＯＣ等の有害物質が揮発発生する場合があり、施工時の作業環境を悪化させると共に、施工後にも健康上の問題となることがある。さらには床仕上げ材表面に付着すると取れ難く、拭き取っても汚れが残り見苦しいものである。
【０００４】
【発明が解決しようとする課題】
本発明は、非常に簡単に床面を施工でき、施工後の養生を必要とせず、しかも、施工の際にはずれなく、従って目隙が発生せずに綺麗に仕上げられる床仕上げ材及びその施工方法を提供するにある。
【０００６】
【課題を解決するための手段】
請求項１に記載した発明は、『対向する短辺(11)及び長辺(12)に互いに嵌合可能な雄実(1a)と雌実(1b)を設け、表面を化粧面(13)とし、裏面(14)の長辺(12)方向に沿った雄実(1a)側又は雌実(1b)側のどちらか一方に両面粘着テープ(2)を貼着した、床仕上げ材において、前記両面粘着テープ(2)は、テープ基材(21)の両面に粘着層(22a)(22b)を設け、一方の前記粘着層(22a)の上に網目状の非粘着性層(23)を設けたものであり、前記非粘着性層(23)が設けられていない側の前記粘着層(22b)が前記裏面(14)に貼着されており、前記非粘着性層(23)が設けられた側の前記粘着層(22a)が施工時に床面と接することを特徴とする、床仕上げ材』である。
請求項１に係る「床仕上げ材」では、両面粘着テープ(2)が貼着されていない側で位置決めして微調整をした後に床面に圧着固定される。また、「床仕上げ材」同士は、雄雌実(1a)(1b)を嵌合して接合される。そして、「床仕上げ材」は、裏面(14)の長辺(12)方向に沿った雄実(1a)側又は雌実(1b)側のどちらか一方に貼着された両面粘着テープ(2)により床面に圧着固定されるので、施工後にずれることがない。さらに、「床仕上げ材」を床面に置いただけの状態では、網目状の非粘着性層(23)が床面に接することとなるため、粘着層(22a)が床面に完全に接着することが防止される。
【０００７】
請求項２に記載した発明は、『対向する短辺(11)及び長辺(12)に互いに嵌合可能な雄実(1a)と雌実(1b)を設け、表面を化粧面(13)とし、裏面(14)の短辺(11)及び長辺(12)の両方向に沿った雄実(1a)側又は雌実(1b)側のどちらか一方に両面粘着テープ(2)を貼着した、床仕上げ材において、前記両面粘着テープ(2)は、テープ基材(21)の両面に粘着層(22a)(22b)を設け、一方の前記粘着層(22a)の上に網目状の非粘着性層(23)を設けたものであり、前記非粘着性層(23)が設けられていない側の前記粘着層(22b)が前記裏面(14)に貼着されており、前記非粘着性層(23)が設けられた側の前記粘着層(22a)が施工時に床面と接することを特徴とする、床仕上げ材』である。
請求項２に係る「床仕上げ材」では、短辺(11)側にも両面粘着テープ(2)を貼着することで、「床仕上げ材」の床面への固定強度が稼がれることとなる。
【０００８】
請求項３に記載した発明は、請求項１または２に記載の「床仕上げ材」の施工方法であって、『１枚目の床仕上げ材を敷設する際には、床仕上げ材の両面粘着テープ(2)が貼着されていない側を貼り始めの位置として床面に配置し、その後、床仕上げ材の両面粘着テープ(2)が貼着された側を床面に圧着して固定し、２枚目の床仕上げ材を敷設する際には、１枚目の床仕上げ材と実部の嵌合をさせ、その後、床仕上げ材の両面粘着テープ(2)が貼着された側を床面に圧着して固定する』ことを特徴とする。
請求項３に係る「床仕上げ材の施工方法」によれば、「床仕上げ材」の位置決めの微調整が簡単に行え、位置決め後は、「床仕上げ材」を床面に圧着固定することができる。したがって、目地ずれ等が無く、精度良く簡単に床面を施工できる。
【００１４】
【発明の実施の形態】
本発明の床仕上げ材(A1)(A2)を構成する基材(1)としては、当該分野で公知のもの、例えば、合板、ＭＤＦ、火山性ガラス複合板（商品名：ダイライト）又はこれらの複合材等がそのまま用いられる。
【００１５】
上記基材(1)の一方の面は、当該分野で公知の化粧単板、化粧紙、化粧シート等を貼着することにより、化粧面(13)に構成される。
【００１６】
上記基材(1)の裏面(14)には、両面粘着テープ(2)が貼着される。該両面粘着テープ(2)としては、例えば、発泡ポリエチレンをテープ基材(21)とし、表裏面にアクリル系粘着剤からなる粘着層(22a)(22b)を設けたものが好適なものとして挙げられるが、別段これに限定されない。
上記テープ基材(21)としては、発泡ポリエチレン以外に、発泡ポリプロピレン、発泡ウレタン等も用いられる。
【００１７】
上記両面粘着テープ(2)においては、表面側（すなわち施工対象面側）の粘着層(22a)の上に、例えばポリプロピレン、ポリエステル、紙、不織布等の非粘着性材質のものを、例えば網目状（又は格子状）に設けて非粘着性層(23)を形成すること等により、粘着力を若干減じるように構成されていることが、床仕上げ材の施工時に微調整し易い点でより好ましい。
なお、非粘着性層(23)は、網目状（又は格子状）に限定されるものではない。
【００１８】
【実施例】
以下、本発明を図示実施例に従って説明するが、本発明はこれらによって限定されるものではない。
【００１９】
実施例１
本発明の床仕上げ材の一例(A1)について、図１及び図２を参照して説明すると、仕上げ材(A1)には、合板、ＭＤＦ、火山性ガラス複合板（商品名：ダイライト）又はこれらの複合材から適宜選択した基材(1)が用いられている。
【００２０】
上記基板(1)の短辺(11)及び長辺(12)には、互いに嵌合可能な雄実(1a)と雌実(1b)とが形成されており、表面に化粧単板、化粧紙、化粧シート等が貼着されて化粧面(13)が構成されている。なお、上記実部は、通常は本実であるが、合决りでも良い。
【００２１】
上記基板(1)の裏面(14)には、両面粘着テープ(2)が短辺(11)及び長辺(12)の雄実(1a)側に貼着されている。上記両面粘着テープ(2)は、図３に示すように、本例では、発泡ポリエチレンをテープ基材(21)とし、その表裏面にアクリル系粘着剤からなる粘着層(22a)(22b)が設けられており、表面側（施工対象面側）粘着層(22a)の上にはポリプロピレンからなる網目状（図４、図５参照）の非粘着性層(23)が設けられている。
【００２２】
なお、本発明の床仕上げ材の他の例(A2)としては、図６に示すように、床仕上げ材の裏面(14)への両面粘着テープ(2)の貼着を長辺(12)方向だけとしたものを挙げることができる。また、床施工の場合、通常、貼り始めの位置が雌実側なので雄実側に両面粘着テープを貼着するが、施工の仕方によっては雌実側に貼着する場合もある。
【００２３】
図１のような平板タイプ以外に、図７に示すような雁行タイプ(A3)とすることもできる。また、裏面側に樹脂発泡体や不織布等の緩衝材を設ければ防音性が付与された床仕上げ材とすることができる。
【００２４】
次に、上記床仕上げ材(A1)を用いた床面の施工例を図８を参照して述べる。
【００２５】
まず、床面（コンクリート面を均し、モルタルで水平レベルを調整したもの）の埃や油分を清掃し、下地の不陸を２〜３mm以内になるように調整した後、施工方向(イ)に即して貼り始めの位置に基準線(L)を設ける。
【００２６】
基準線(L)に合わせて１枚目の床仕上げ材(A)の両面粘着テープ(2)が貼着されていない側を上記基準線に合わせて位置決め配置した後、両面粘着テープ(2)が貼着された側を床面に強く圧着して固定する。
【００２７】
２枚目の床仕上げ材は、１枚目の床仕上げ材と実部の嵌合をさせ位置決め配置した後、両面粘着テープが貼着された側を床面に強く圧着して固定する。
以後この作業を繰り返すことにより床仕上げ面を完成させる。
【００２８】
施工終了後、両面粘着テープ(2)が貼着された側を踏む等して再度圧着する。なお、貼り始め、貼り終わり、壁際部分については、ずれない様に別途両面粘着テープ(2a)を貼って固定する。
【００２９】
【発明の効果】
本願『請求項１』に係る発明によれば、両面粘着テープを貼着されてされていない側で位置決めして微調整した後に、床面に圧着固定することができる。
また、床仕上げ材同士は雄・雌実で嵌合し接合させ、さらに床仕上げ材裏面長辺方向の雄実側又は雌実側のどちらか一方に貼着された両面粘着テープを床面に圧着固定させておけば、施工後にずれることがなく、目隙の発生を防止できる。
【００３０】
本願『請求項２』に係る発明によれば、短辺側にも両面粘着テープを貼着することで、床仕上げ材の床面への固定強度を一層高める事ができ、施工後のずれが確実に防止できる。
【００３１】
本願『請求項３』に係る発明によれば、床仕上げ材を床面に置いただけの状態では非粘着性層によって完全に粘着することが防止されるので、ずらすことが可能で、位置決めの微調整ができる。また、位置決め完了後、圧着することで床面への固定ができる。
【００３２】
本願『請求項４』に係る発明によれば、床仕上げ材の位置決めの微調整が簡単に行え、その後床仕上げ材を圧着して床面に固定し、次の床仕上げ材の位置決め後圧着固定することができるので、目地ずれ等が無く、精度良く簡単に床面を施工できる。また、接着剤を用いたときのような養生が不要なので、作業中にずれることもなく、目隙のない美しい仕上がりとなる。さらに、ホルムアルデヒドやＶＯＣ等の有害物質が揮発発生することもなく、床仕上げ材表面に付着して汚れることもない。
【図面の簡単な説明】
【図１】本発明の床仕上げ材の一例の裏面図
【図２】図１の床仕上げ材の断面構成説明図
【図３】本発明の床仕上げ材に用いられる両面粘着テープの一例の断面構成説明図
【図４】非粘着性層の一例の平面概略図
【図５】非粘着性層の他の例の平面概略図
【図６】本発明の床仕上げ材の他の例の裏面図
【図７】本発明の床仕上げ材のさらに他の例の裏面図
【図８】図１の床仕上げ材を用いた本発明の施工方法を説明する平面概略図
【符号の説明】
(A1)(A2)(A3)…床仕上げ材
(1)…基板
(1a)…雄実
(1b)…雌実
(2)…両面粘着テープ
(11)…基板の短辺
(12)…基板の長辺
(13)…化粧面
(14)…基板の裏面
(21)…テープ基材
(22a)…表面側粘着層
(23)…非粘着性層
【図１】
0003857440.tif 000002
【図２】
0003857440.tif 000003
【図３】
0003857440.tif 000004
【図４】
0003857440.tif 000005
【図５】
0003857440.tif 000006
【図６】
0003857440.tif 000007
【図７】
0003857440.tif 000008
【図８】
0003857440.tif 000009